(57)【要約】    【課題】  使用されていない拡張カードスロットの周囲空間の空きを利用して記録及び再生容量が高容量のハードディスクドライブ装置を搭載することができるコンピュータを提供する。    【解決手段】  ハードディスクドライブ装置の筐体が、マザーボードの拡張カードスロット部に係合可能の突出部を有することを特徴とするハードディスクドライブ装置にあり、これにより、ＨＤＤを簡単に取外し可能にコンピュータ取付けることができ、ＨＤＤシステムの構築が簡単になる。【選択図】  図２
2007004880.tif 000002
【特許請求の範囲】
【請求項１】
ハードディスクドライブ装置の筐体が、コンピュータ装置のマザーボードの拡張カードスロット部に係合可能の突出部を有することを特徴とするハードディスクドライブ装置。
【請求項２】
ハードディスクドライブ装置の筐体が、側部に、コンピュータ装置のマザーボードの拡張カードスロット部に係合可能の突出部を有し、端部に、コンピュータ装置の拡張カード押え部材に係止される張り出し部を有することを特徴とするハードディスクドライブ装置。
【請求項３】
ハードディスクドライブ装置の筐体が、側部に、コンピュータ装置のマザーボードの拡張カードスロット部に係合可能の突出部を有し、端部に、コンピュータ装置の拡張カード押え部材に係止される張り出し部を有し、前記端部に対し反対側の端部に、コンピュータ装置のカード拡張用ホルダーに係合する突部を有することを特徴とするハードディスクドライブ装置。
【請求項４】
マザーボードの拡張カードスロット部に係合可能の突出部の係合部外周は、前記スロット部内に挿着可能の形状に形成されていることを特徴とする請求項１、２又は３に記載のハードディスクドライブ装置。
【発明の詳細な説明】
【技術分野】
【０００１】
本発明は、マザーボードの拡張カードスロット部に支持可能のハードディスクドライブ装置に関し、特に、マザーボードの拡張カードスロット部に電気的に接触しない突出部を挿着することにより支持可能のハードディスクドライブ装置に関する。また本発明は、マザーボードの拡張カードスロット部が拡張カード用及びハードディスクドライブ装置用であるコンピュータに関し、特に、マザーボードの拡張カードスロット部が拡張カード接続用及びハードディスクドライブ装置支持用であるコンピュータに関する。
【背景技術】
【０００２】
コンピュータのディスクトップ型やノート型のパソコンにおいて、その構成要素の中央処理装置（ＣＰＵ）、アイオー（Ｉ／Ｏ）チップ、メモリーチップ、クロックゼネレーターチップ、チップ及びバスは、マザーボードに取付けられており、さらに、マザーボードには、拡張カード装着用の拡張カードスロットを設けて、機能の拡充が図られている。
【発明の開示】
【発明が解決しようとする課題】
【０００３】
しかし、拡張カードを使用しないときは、拡張カードスロットの周囲は空となり、空間が無駄になるために問題とされている。一方、記録及び再生容量が高容量のＨＤＤを搭載する場合、ハードディスクドライブ装置（以下、ＨＤＤという）の搭載可能数に限りがあり、拡張するにはケースを変更するか、５インチ拡張ベイをＨＤＤ用として使わなければならず、問題とされている。また、フルサイズの拡張カードが入るコンピュータの筐体で、拡張カードが実装されない場合、拡張カード用の空間が空き空間となり、また、このように比較的大きな空き空間が存在すると、筐体の機械的強度が低下して問題である。さらに、コンピュータの筐体内に、ＨＤＤを搭載できるスペースが設けられていない場合、例えば、４台、６台といった数のＨＤＤを搭載することはできず問題である。
本発明は、従来のコンピュータにおける記録及び再生容量が高容量のＨＤＤを搭載する場合に生じる問題点を解決することを目的としている。
【課題を解決するための手段】
【０００４】
本発明は、使用されていない拡張カードスロットの周囲空間の空きを利用して記録及び再生容量が高容量のハードディスクドライブ装置を搭載することができるコンピュータを提供することを目的とする。
即ち、本発明は、ハードディスクドライブ装置の筐体が、コンピュータ装置のマザーボードの拡張カードスロット部に係合可能の突出部を有することを特徴とするハードディスクドライブ装置にあり、また、本発明は、ハードディスクドライブ装置の筐体が、側部に、コンピュータ装置のマザーボードの拡張カードスロット部に係合可能の突出部を有し、端部に、コンピュータ装置の拡張カード押え部材に係止される張り出し部を有することを特徴とするハードディスクドライブ装置にあり、さらにまた、本発明は、ハードディスクドライブ装置の筐体が、側部に、コンピュータ装置のマザーボードの拡張カードスロット部に係合可能の突出部を有し、端部に、コンピュータ装置の拡張カード押え部材に係止される張り出し部を有し、前記端部に対し反対側の端部に、コンピュータ装置のカード拡張用ホルダーに係合する突部を有することを特徴とするハードディスクドライブ装置にある。そして、本発明において、拡張カードスロット部に係合可能の突出部の係合部外周は、前記スロット部の中空部内に挿着可能の形状に形成することができる。
【発明の効果】
【０００５】
本発明においては、ハードディスクドライブ装置（以下、ＨＤＤという）の筐体側部に、マザーボードの拡張カードスロット部に係合可能のＨＤＤ固定用突出部を設けたので、マザーボードの面から突出して形成されている拡張カード専用の拡張カードスロット部に、ＨＤＤ固定用の突出部を係合させて、前記拡張カードスロット部をＨＤＤの固定用として使用することができる。したがって、一般に、拡張カードスロット部に拡張カードが実装されていないときは、その使用されていない拡張カードスロット部の周囲は空きの空間となるが、本発明によると、この空き空間をＨＤＤのベイとして有効に利用することができる。
【０００６】
また、本発明においては、ＨＤＤ筐体側部に、拡張カードスロットの溝部内に係合可能のＨＤＤ固定用の突出部を設け、また、ＨＤＤ筐体端部に、コンピュータ筐体の蓋部取付け架台の内側に設けられる拡張カード押え用支持枠部に固定可能のＨＤＤ固定用の張り出し部を設け、さらに、ＨＤＤ筐体端部に、拡張カードホルダーの支持溝に係合可能のＨＤＤ固定用の突部を設けるので、マザーボードの拡張カード接続用の拡張カードスロットに、ＨＤＤ筐体固定用の突出部を係合し、また、ＨＤＤ筐体９のＨＤＤ固定用張り出し板部１２を、コンピュータ筐体の蓋部取付け架台の内側に設けられる拡張カード押え用の支持枠部に固定し、さらに、ＨＤＤ固定用の突部を拡張カードホルダーの支持溝に係合することにより、ＨＤＤ及び複数のＨＤＤを収容する筐体９は、ＨＤＤ固定用の突出部、張り出し部及び突部により支持又は固定されることとなり、マザーボードの拡張カードスロットに拡張カードが実装されていないときに、ＨＤＤ及び複数のＨＤＤを収容する筐体９が、取り外し可能に取付けられることとなり、拡張カードスロットを利用したリムーバブルＨＤＤにすることができる。
【０００７】
したがって、本発明によると、例えば、ミドルタワー型の筐体であっても、拡張カードスロット部が使用されていないときは、拡張カードスロット部を介して、３．５インチＨＤＤを６台搭載することができ、また、２．５インチＨＤＤの場合は、１２台搭載することができることとなり、小型で大容量のミドルタワー型のコンピュータの筐体とすることができる。
【発明を実施するための最良の形態】
【０００８】
本発明において、ＨＤＤは、ＨＤＤ筐体を含めてＨＤＤを意味し、ＨＤＤ筐体は、ＨＤＤを形成する筐体又は複数のＨＤＤ筐体を収容する筐体を意味する。本発明においては、ＨＤＤの側部には、ＨＤＤ固定用の突出部、例えば板状の突出部が形成されており、このＨＤＤ固定用の板状の突出部を拡張カードスロット部に差し込んで、マザーボード上にＨＤＤを支持することができる。この場合、ＨＤＤ固定用の突出部、例えば板状の突出部は、電気的に接触するものでなく、単に、ＨＤＤを支持するものであり、例えば、絶縁材料で形成されるのが好ましい。本発明において、ＨＤＤ固定用の突出部、例えば板状の突出部は、ＨＤＤと一体に形成されてもよく、また、ＨＤＤにＨＤＤ固定用の突出部材、例えば板状の突出部材を取付けて形成しても良い。ＨＤＤ固定用の板状の突出部を形成するＨＤＤ固定用の板状の突出部材は、ＨＤＤ（以下、ＨＤＤ、ＨＤＤ筐体又は複数のＨＤＤ筐体を意味する。）の側部に、ＨＤＤ固定用の板状の突出部材をネジ止め又は接着材により固定して設けることができる。本発明において、この突出部は、拡張カードスロット部の拡張カードの接続に影響を与えることがないように、拡張カードスロット部の溝状の中空部内に挿着可能とすることができる。
【０００９】
本発明においては、ＨＤＤの一方の端部には、ＨＤＤ固定用の張り出し部、例えば、ＨＤＤ固定用の張り出し板部を形成することができ、この形成されたＨＤＤ固定用の張り出し板部を、コンピュータ筐体の蓋部取付け架台の内側に設けられる、例えば、ＰＣＩブラケット等の拡張カード押え用支持枠部に固定して、マザーボードにＨＤＤを固定することができる。この場合、ＨＤＤ固定用の張り出し部は、ＨＤＤと一体に形成されてもよく、また、ＨＤＤにＨＤＤ固定用の張り出し部材を取付けて形成しても良い。ＨＤＤ固定用の張り出し板部を形成するＨＤＤ固定用の張り出し板部材は、ＨＤＤの一方の端部に、ＨＤＤ固定用の張り出し板部材をネジ止め又は接着材により固定して設けることができる。
【００１０】
本発明においては、ＨＤＤのもう一方の端部には、ＨＤＤ固定用の突部、例えば、ＨＤＤ固定用の板状突部を形成することができき、この形成されたＨＤＤ固定用の板状突部を、拡張カードホルダーの支持溝内に差し込んで、マザーボードにＨＤＤを固定することができる。この場合、ＨＤＤ固定用の突部は、ＨＤＤと一体に形成されてもよく、また、ＨＤＤにＨＤＤ固定用の突部材を取付けて形成しても良い。ＨＤＤ固定用の突部を形成するＨＤＤ固定用の突部材は、ＨＤＤのもう一方の端部に、ＨＤＤ固定用の突部材をネジ止め又は接着材により固定して設けることができる。
【００１１】
ＨＤＤ固定用の突出部を形成するＨＤＤ固定用の突出部材は、拡張カードスロット部に挿着可能の板状に形成することが好ましい。また、ＨＤＤ固定用突出部及びＨＤＤ固定用の板状突出部材の板状部分は、拡張カードスロット部に挿着してＨＤＤが簡単に脱落することなく保持できるように、拡張カードスロット部の差込溝の断面形状に合わせて形成されるのが好ましい。
【００１２】
ＨＤＤ固定用の張り出し部を形成するＨＤＤ固定用の張り出し部材は、コンピュータ筐体の蓋部取付け架台の内側に設けられる、例えば、ＰＣＩブラケット等の拡張カード押え用支持枠部に固定可能の板状に形成することが好ましい。また、ＨＤＤ固定用の張り出し部及びＨＤＤ固定用の張り出し部材の板状部分は、前記拡張カード押え用支持枠部にネジ止め又は接着により固定してＨＤＤが簡単に脱落することなく保持できるようにするのが好ましい。
【００１３】
ＨＤＤ固定用の突部を形成するＨＤＤ固定用の突部材は、前記拡張カードホルダーの支持溝内に差し込み可能の板状に形成することが好ましい。また、ＨＤＤ固定用の張り出し部及びＨＤＤ固定用の張り出し部材の板状部分は、前記拡張カードホルダーの支持溝内に装着してＨＤＤが簡単に脱落することなく保持できるように、拡張カードスロット部の差込溝の断面形状に合わせて形成されるのが好ましい。
【００１４】
ＨＤＤ固定用の板状の突出部には、前記板状の突出部を拡張カードスロット部の差込溝内に差し込んだときに、板状の突出部の先端部が、拡張カードスロット部の差込溝内の奥に位置する部材に接触しないように、前記先端部の差込深さを制限するために、前記先端部が規制された差込深さに到達した位置において、板状の突出部の拡張カードのスロットの端部に対応する位置に、停止手段として段部を形成することができる。
【００１５】
このような段部を板状の突出部に形成しないときは、ＨＤＤ筐体の端部に、その端面から突出る張り出し部、例えば、張り出し板部を形成し、この張り出し板部を、コンピュータ筐体の蓋部取付け架台の内側に設けられる、例えば、ＰＣＩブランケット等の拡張カード押え用支持枠部にねじ止め又は接着等により、一定の位置に固定することにより、前記ＨＤＤ固定用の板状の突出部の先端部が、拡張カードスロット部の差込溝内の奥に位置する部材に接触しないようにすることができる。
【００１６】
本発明において、一つ又は複数の拡張カードスロット部を使用して、複数のＨＤＤを収容する筐体を保持できるように、複数のＨＤＤを収容する筐体の側部には一つ又は複数のＨＤＤ固定用の突出部を形成することができる。また、この場合において、複数のＨＤＤを収容する筐体がマザーボードに安定して配置されるように、前記ＨＤＤを収容する筐体の端部に、拡張カードホルダーの支持溝内に挿着可能の板状突部を形成することができる。
【００１７】
筐体内に複数のＨＤＤを収容するとき、夫々のＨＤＤの接続は、ＨＤＤの接続部に接続規格に応じた専用のコネクタ部材を接続することにより行うことができる。例えば、ＩＤＥの接続規格の場合には、ＨＤＤのジャンパ、ＩＤＥコネクタ及び電源コネクタは、専用のコネクタ部材により接続される。
【００１８】
本発明においては、ＨＤＤの側部には、拡張カードスロット部に嵌合するＨＤＤ固定用突出部が設けられている。したがって、拡張カードスロット部に拡張カードが実装されていないときは、マザーボードから突出して形成される拡張カード接続用の拡張カードスロット部に、ＨＤＤ固定用突出部を挿着して、ＨＤＤ固定用として使用することができることとなる。したがって、本発明によると、従来市販のコンピュータに実装されている例えばＡＧＰスロットやＰＣＩスロット等の拡張カードスロット部は、拡張カード用及びＨＤＤ用として使用できることとなり、拡張カードの空間を使って、ＨＤＤを搭載することができる。
【００１９】
本発明においては、拡張カードスロット部のスロットの位置は世界標準規格とすることができる。したがって、本発明は、世界標準規格に則って作製されたコンピュータの拡張カードスロット部であれば、ＨＤＤ固定用の突出部を嵌合又は嵌着してＨＤＤをマザーボードに固定して、ＨＤＤを搭載することができる。本発明においても、筐体正面の蓋も固定するビス等の止め位置も世界標準規格になっているので、その留め位置を使って、筐体前面部を蓋で閉ざすことができる。
【００２０】
本発明においては、ＨＤＤマウンタに、マザーボード上の拡張カードスロットに刺さるような突起をつけ、マザーボード上の拡張カードスロットに、ＨＤＤを支持又は取り外し可能に固定するので、例えば、通常のディスクトップ型のパソコンにおいて、３つの拡張カードの幅を使い、３．５インチＨＤＤを４台搭載可能であり、５つの拡張カードの幅を使うときは、３．５インチＨＤＤを６台搭載可能であり、２．５インチＨＤＤを使用すれば、ホットスワップベイになり、３つの拡張カード幅でＨＤＤが８台搭載可能であり、５つのカード幅でＨＤＤ１２台搭載可能になる。
【実施例】
【００２１】
以下に、添付図面に基づいて、本発明の一実施例を説明するが、本発明は、以下の例示及び説明により何ら限定されるものではない。
図１は、本発明の一実施例のＨＤＤ固定用突出部を備えるＨＤＤを拡張カードスロットに嵌合してマザーボードにＨＤＤを取付けた状態の概略を示す概略の部分断面図である。図２は、本発明の他の一実施例のＨＤＤ固定用の板状突出部、ＨＤＤ固定用張り出し板部及びＨＤＤ固定用の板状突部を備えて複数個のＨＤＤを収容するＨＤＤの筐体の概略を示す概略の斜視図である。
【００２２】
図１に示す本発明の実施例において、ＨＤＤ（ハードディスク装置）１の側部２には、ＨＤＤ固定用の板状の突出部３を備えるＨＤＤ固定用の突出部材４が取付けられている。また、マザーボード５の側面６には、マザーボードの側面６から突出て、拡張カード接続用の拡張カードスロット７が設けられている。本例においては、ＨＤＤ１の側部２には、ＨＤＤ固定用の板状の突出部３が設けられているので、ＨＤＤ固定用の板状の突出部３を、拡張カードスロット７の溝部８内に挿着することにより、ＨＤＤ１はマザーボード５に取外し可能に固定される。
【００２３】
図２に示す本発明の実施例は、複数個のＨＤＤ１を内部に収容するＨＤＤ用筐体９についての一例を示すものである。本例において、複数個のＨＤＤ１を収容するＨＤＤ用筐体９の側部１０には、前記ＨＤＤ用筐体固定用の板状の突出部１１が設けられている。本例において、このＨＤＤ用筐体固定用の板状の突出部１１は、マザーボード５に設けられている拡張カードスロット７の溝部８内に挿着することにより（図１参照）、ＨＤＤ用筐体９はマザーボード５（図１参照）に固定される。
【００２４】
本例において、ＨＤＤ用筐体９の支持位置を一定にして、前記ＨＤＤ用筐体固定用の板状の突出部１１の先端部が、拡張カードスロット部の差込溝内の奥に位置する部材に接触しないようにするために、前記ＨＤＤ用筐体９の一方の端部に、その端面から突出る張り出し板部１２が形成されている。この張り出し板部１２は、コンピュータの筐体の蓋部取付け架台の内側に設けられる、例えば、ＰＣＩブラケット等の拡張カード押え用支持枠部（何れも図示されていない）にねじ等により固定することにより、前記ＨＤＤ用筐体９を、コンピュータの筐体内の一定の位置に固定することができる。このように前記ＨＤＤ用筐体９の固定位置は、コンピュータの筐体内で一定又は略一定となり、前記ＨＤＤ筐体９の固定用の板状の突出部１１の先端部が、拡張カードスロット部の差込溝内の奥に位置する部材に接触することがなくなる。
【００２５】
本例において、ＨＤＤ用筐体９内において、中央部を中心に両側に、ＨＤＤ１は、夫々、二台ずつ重ねて搭載されている。本例において、ＨＤＤ１の中央下部に設けられているＨＤＤ１の接続部１３は、夫々、中央部に向けて配置されており、ＨＤＤの接続は、ＨＤＤ接続用コネクタ（図示されていない）を、例えば中央部から導き、夫々のＨＤＤ１の接続部１３に差し込んで、各ＨＤＤ１の接続を行う。
【００２６】
また、本例において、複数のＨＤＤを収容する筐体９がより安定して配置されるように、さらに、前記ＨＤＤを収容する筐体９の他の端部に、支持溝が形成されている拡張カードホルダーの支持溝内に差込可能のＨＤＤ固定用の板状突部１４を形成し、この板状突部１４を拡張カードホルダーの支持溝（図示されていない）内に差込むことにより、複数のＨＤＤを収容する筐体９を支持することができる。
【００２７】
本例は以上のように構成されているので、マザーボードの拡張カード接続用の拡張カードスロット７の溝８内に、ＨＤＤ用筐体固定用の板状の突出部１１を差し込んで挿着し、また、ＨＤＤ筐体９のＨＤＤ用筐体固定用張り出し板部１２を、コンピュータの筐体の蓋部取付け架台の内側に設けられる拡張カード押え用支持枠部にねじ等により固定し、さらに、ＨＤＤ用筐体固定用の板状突部１４を拡張カードホルダーの支持溝（図示されていない）内に差込むことにより、複数のＨＤＤを収容する筐体９は、ＨＤＤ用筐体固定用の張り出し板部１２及びＨＤＤ用筐体固定用の板状突部１４により支持されることとなり、複数のＨＤＤを収容する筐体９を安定して配置することができる。
【００２８】
図１及び図２に示す実施例において、ＨＤＤ固定用の板状突出部には、段部が形成されていないが、ＨＤＤ固定用の板状突出部に段部を形成する場合は、ＨＤＤ固定用の板状突出部を拡張カードスロット部の差込溝内に差し込んだときに、突出部又は板状突出部材は、その段部が、拡張カードスロット部の端部に当たって、差込を停止し、前記ＨＤＤ固定用の板状突出部又は板状突出部材の先端部が、差込溝の奥に位置する部材に接触するに至らない。
【産業上の利用可能性】
【００２９】
本発明は、ＨＤＤ側部に、拡張カードスロットの溝部内に差し込み可能のＨＤＤ固定用突出部を設け、また、ＨＤＤ端部に、コンピュータ筐体の蓋部取付け架台の内側に設けられる拡張カード押え用支持枠部に固定される張り出し部を設け、さらに、ＨＤＤ筐体端部に、拡張カードホルダーの支持溝内に差込み可能のＨＤＤ固定用の突部を設けたので、マザーボードの拡張カード接続用の拡張カードスロットの溝内に、ＨＤＤ筐体固定用の突出部、例えば、板状の突出部を差し込んで挿着し、また、ＨＤＤ筐体のＨＤＤ固定用張り出し部、例えば張り出し板部を、コンピュータ筐体の蓋部取付け架台の内側に設けられる拡張カード押え用支持枠部にねじ等により固定し、さらに、ＨＤＤ固定用の突部、例えば板状突部を拡張カードホルダーの支持溝内に差込むことにより、ＨＤＤは、ＨＤＤ固定用の突出部、ＨＤＤ固定用の張り出し部及びＨＤＤ固定用の突部により支持されて、安定して保持されることとなる。拡張カードスロットに拡張カードが実装されていないときに、ＨＤＤが、取り外し可能に取付けられることとなり、拡張カードスロットを利用したリムーバブルＨＤＤにすることができる。
【００３０】
本発明のＨＤＤにおいて、ＨＤＤ支持部であるＨＤＤ固定用の突出部、ＨＤＤ固定用張り出し部及びＨＤＤ固定用の突部は、何れも簡単な構造であり、ＨＤＤの筐体とは別個に生産することができるので生産性を高めることができる。しかも、これらＨＤＤマウンタは、ＨＤＤ筐体に、簡単に取り付け、又は取り外すことができるので、ＨＤＤシステムの構築が簡単になる。
さらに、本発明によると、ＨＤＤマウンタにおいて検査、エージングができるため、システム全体の生産効率がよくなる。
【図面の簡単な説明】
【００３１】
【図１】本発明の一実施例のＨＤＤ固定用突出部を備えるＨＤＤを拡張カードスロットに嵌合してマザーボードにＨＤＤを取付けた状態の概略を示す概略の部分断面図である。
【図２】図２は、本発明の他の一実施例の固定用突出部を備えて複数個のＨＤＤを収容するＨＤＤの筐体の概略を説明する説明図である。
【符号の説明】
【００３２】
１  ＨＤＤ
２  ＨＤＤ１の側部
３  ＨＤＤ固定用の板状の突出部
４  ＨＤＤ固定用突出部材
５  マザーボード
６  マザーボード４の面
７  拡張カードスロット
８  拡張カードスロットの差込溝
９  複数個のＨＤＤを収容する筐体
１０  ＨＤＤ筐体９の側面
１１  ＨＤＤ筐体固定用の板状の突出部
１２  ＨＤＤ筐体固定用の張り出し板部
１３  ＨＤＤの接続部
１４  ＨＤＤ筐体固定用の板状突部
【図１】
2007004880.tif 000003
【図２】
2007004880.tif 000004